(57)【要約】      （修正有）【課題】散歩を兼ねてのジョギングや両手を振りながらのウォーキング運動を行うことができ、また、動物の排便を処理するときにも両手を使いながら短時間で清潔に処理できるリード用具を提供する。【解決手段】紐リードの一端部にペット用動物につながれる第１の掛止具２が、他端部に第２の掛止具３が取り付けられている。また、前記紐リードの中間部には、２つの通し孔４１ａ，４２ａを有し、通された紐リードを緊張することにより紐リードに移動不能に固定される移動式固定具４が移動可能に取り付けられ、前記紐リードが人体に巻き付けられた状態で、第２の掛止具３が移動式固定具４の２つの通し孔４１ａ，４２ａの間で前記紐リードに係止される。【選択図】図３
0003168091.tif 000002
【実用新案登録請求の範囲】
【請求項１】
紐リードの一端部にペット用動物につながれる第１の掛止具が、他端部に開閉可能な第２の掛止具がそれぞれ取り付けられ、
前記紐リードの中間部に２つの通し孔を有し、通された紐リードを緊張することにより紐リードに移動不能に固定される移動式固定具が、紐リードの非緊張状態で紐リードに移動可能に取り付けられ、
前記紐リードが人体に巻き付けられた状態で、前記第２の掛止具が前記移動式固定具の２つの通し孔の間で前記紐リードに係止される動物用リード用具。
【請求項２】
請求項１において、前記移動式固定具は、１つの通し孔を持つリング体の一対を、通し孔の径方向に並べて、径方向に沿った回動中心回りに相対回動可能に連結してなる動物用リード用具。
【考案の詳細な説明】
【技術分野】
【０００１】
この考案は、犬やフェレットなどのペット用動物を散歩させるときに用いるリード用具に関するものである。
【背景技術】
【０００２】
従来のリード用具は、紐リードの一端部にペット用動物につながれる掛止具が、他端部にリード把持部が設けられている (特許文献１)。ペット用動物を散歩させるときには、紐リードの掛止具を動物に装着した首輪につなぎ、把持部を手で把持しながら動物を誘導する。
【先行技術文献】
【特許文献】
【０００３】
【特許文献１】実用新案登録３１３４４９４号公報
【考案の概要】
【考案が解決しようとする課題】
【０００４】
しかし、従来のリード用具では、動物の散歩時に、少なくとも片方の手は紐リードを把持する必要があるので、散歩を兼ねてのジョギングや両手を振りながらのウォーキング運動が行えない。また、動物の排便を処理するときにも、紐リードを把持しない側の片手だけで処理する必要があるため、処理に時間かかる。
【０００５】
本考案は、紐リードを把持することなく、両手をフリー状態としながら動物の誘導を行えるようにすることにより、散歩を兼ねてのジョギングや両手を振りながらのウォーキング運動を行うことができ、また、動物の排便を処理するときにも両手を使いながら短時間で清潔に処理できるリード用具を提供することを目的とする。
【課題を解決するための手段】
【０００６】
上記目的を達成するために、本考案のリード用具は、紐リードの一端部にペット用動物につながれる第１の掛止具が、他端部に開閉可能な第２の掛止具がそれぞれ取り付けられ、前記紐リード１の中間部に２つの通し孔を有し、通された紐リードを緊張することにより紐リードに移動不能に固定される移動式固定具が、紐リードの非緊張状態で紐リードに移動可能に取り付けられ、前記紐リードが人体に巻き付けられた状態で、前記第２の掛止具が前記移動式固定具の２つの通し孔の間で前記紐リードに係止される。
【０００７】
動物を散歩させるときには、紐リードの一端側に設けた第１の掛止具をペット用動物につなぐ。他方、紐リードの他端側を散歩させる人の、例えば腰部の回りに巻き付けた状態で、紐リードの他端側に設けた第２の掛止具を固定具の２つの通し孔間に位置する紐リードに係止させる。この状態で動物を散歩させることにより、紐リードに緊張力がかかって移動式固定具が紐リードに移動不能に固定され、かつ、この固定具に第２の掛止具が固定されて、紐リードの他端側が人の腰部の回りに巻き付けられた状態に固定される。これにより、動物を散歩させるときに人は紐リードを把持することなく、両手をフリー状態としながら動物の誘導が行える。このため、散歩を兼ねてのジョギングや両手を振りながらのウォーキング運動が行え、また、動物の排便処理も両手を使いながら短時間で行うことができる。さらに、固定具の各通し孔の間で紐リードを緩めながら、リードに沿って固定具を移動調整し、調整位置で固定具の各通し孔の間に位置するリードに第２の掛止具を係止することにより、リードの他端側の長さを散歩させる人の腰部の大きさに応じて容易に調整でき、腰部の大きさが異なる大人や子供であっても、リード用具の使用が可能となる。
【０００８】
本考案の好ましい実施形態では、前記移動式固定具は、１つの通し孔を持つリング体の一対を、通し孔の径方向に並べて、径方向に沿った回動中心回りに相対回動可能に連結してなる。このようにすれば、固定具の各リング体を径方向に沿った回動中心回りに相対回動させることにより、各リング体の通し孔に通された紐リードに  各リング体の姿勢を合わせることができるので、紐リードの通し孔に対する接触抵抗が少なくなって、紐リードを移動させ易くなる。よって、紐リードに対する固定具の移動が容易に行える。また、各リング体を手動操作で相対回動させることにより、各リング体とその通し孔に通された紐リードとの間に隙間を生じさせることができる。このため、腰部の回りに巻き付けられた紐リードの他端側の第２の掛止具を各リング体の通し孔間の紐リードに係止させるとき、前記隙間を利用して第２の掛止具を係止させ易い。
【考案の効果】
【０００９】
この考案によれば、紐リードの一端側を人体に巻き付けて固定することにより、動物を散歩させるときに両手をフリー状態としながら、動物の誘導を行える。これにより、散歩を兼ねてのジョギングや両手を振りながらのウォーキング運動を行うことができ、また、動物の排便を処理するときにも両手を使いながら短時間で清潔に処理できる。
【図面の簡単な説明】
【００１０】
【図１】本考案の一実施形態にかかるリード用具の斜視図である。
【図２】このリード用具に用いる移動式固定具の斜視図である。
【図３】リード用具を人体に装着するときの状態を示す斜視図である。
【考案を実施するための形態】
【００１１】
以下、本考案の好ましい実施形態を図面に基づいて説明する。
図１は本考案の一実施形態である動物用リード用具の斜視図である。このリード用具は、紐リード１の長さ方向両端部に金属製の第１および第２の掛止具２，３が取り付けられており、これら掛止具２，３は、紐リード１の端部に固着されるリング状のリード連結２１，３１と、これに軸杆２２，３２を介して、各軸杆２２，３２の軸心回りに回動かつ軸方向移動可能に取り付けられたフック部２３，３３とからなる。このフック部２３，３３の軸杆２２，３２には、フック部２３，３３の開口２４，３４に突出する開閉棒２５，３５が進退可能に設けられ、この開閉棒２５，３５に設けた摘み２５ａ，３５ａを押しながら軸杆２２，３２に沿って開閉棒２５，３５進退させることにより、開閉棒２５，３５で各フック部２３，３３の開口２４，３４を開閉させる。
【００１２】
また、紐リード１の長さ方向中間部には、図２の斜視図で示すスイベルのような移動式固定具４が取り付けられている。この固定具４は、楕円形状の通し孔４１ａ，４２ａを有する一対の第１および第２リング体４１，４２と、各リング体４１，４２を互いに連結する連結軸４３とを備えている。固定具４は、そのリング体４１，４２の通し孔４１ａ，４２ａに紐リード１を通して緊張させることにより紐リード１に移動不能に固定され、また、各通し孔４１ａ，４２ａに通された紐リード１を緩めた非緊張状態にして移動させることにより、紐リード１に対する固定具４の取付位置を変更できるようになっている。
【００１３】
各リング体４１，４２は、長径方向ＡＸの一側に設けた連結部４１ｂ，４２ｂ同士を付き合わせて並べられており、各連結部４１ｂ，４２ｂに連結用の挿通孔４７，４８が形成されている。前記固定具４の連結軸４３は、ねじのないボルトのような六角頭付きの軸部４４と、これの先端部に固着される短い六角柱からなる、ねじ孔のないナットのような止め部材４５とからなる。軸部４４を各リング体４１，４２の挿通孔４７，４８に挿通して、軸部４４の先端部に止め部材４５を溶接などで固着することにより、リング体４１，４２を、長径方向ＡＸに沿った軸部４４の回りに相対回動可能に連結している。
【００１４】
図３はリード用具を人体に装着するときの状態を示す斜視図である。動物を散歩させるときには、第１の掛止具２のフック部２３に設けた開閉棒２５を、これに設けた摘み２５ａを押しながらフック部２３の軸部２３ａに沿って進退させることにより開口２４を開閉させて、この開口２４からフック部２３をペット用動物に装着した首輪に係止させる。また、紐リード１の他端側を散歩させる人の腰部の回りに巻き付ける。そして、移動式固定具４の各通し孔４１ａ，４２ａの間で紐リード１を緩めることにより、これら通し孔４１ａ，４２ａの間で紐リード１の一部に弛み部１０を形成し、この弛み部１０に紐リード１の他端部に設けた第２の掛止具３のフック部３３を係止させる。その際、フック部３３は、これに設けた開閉棒３５をその摘み３５ａを押しながらフック部３３の軸杆３２に沿って進退させることにより開口３４を開閉させて、弛み部１０に係止する。この状態で動物を散歩させることにより、紐リード１に緊張力がかかって固定具４が紐リード１に対して移動不能に固定され、また、この固定具４に第２の掛止具３が固定されて、紐リード１の他端側が人の腰部の回りに巻き付けられた状態で固定される。
【００１５】
これにより、動物を散歩させるときに人は紐リード１を把持することなく、動物の誘導が行える。このため、散歩を兼ねてのジョギングや両手を振りながらのウォーキング運動が行え、また、動物の排便処理も両手を使いながら短時間で清潔に行える。さらに、紐リード１に沿って固定具４を移動調整し、調整位置で固定具４の各通し孔４１ａ，４２ａの間に位置するリード１に第２の掛止具３係止させることにより、リード１の他端側の大きさが散歩させる人の腰部の大きさに応じて容易に変えられる。つまり、腰部の大きさが異なる大人や子供であってもリード用具の使用が可能となる。
【００１６】
また、図２に示す移動式固定具４は、通し孔４１ａ，４２ａを持つリング体４１，４２の一対を、通し孔４１ａ，４２ａの長径方向ＡＸに並べて、その長径方向ＡＸに沿った連結軸４３の回りに相対回動可能に連結しているので、各リング体４１，４２を連結軸４３の回りに相対回動させることにより、各リング体４１，４２の通し孔４１ａ，４２ａに通された紐リード１に各リング体４１，４２の姿勢、つまり回動方向の位置を合わせることができるので、紐リード１の通し孔４１ａ，４２ａに対する接触抵抗が少なくなって、紐リード１を通し孔４１ａ，４２ａの間で移動させ易くなる。よって、紐リード１に対する固定具４の移動が容易に行える。また、固定具４の各リング体４１，４２を相対回動させることにより、各リング体４１，４２とその通し孔４１ａ，４２ａに通された紐リード１との間に隙間が生じる。このため、腰部の回りに巻き付けられた紐リード１の他端側の第２の掛止具３を各リング体４１，４２の通し孔４１ａ，４２ａ間で紐リード１に係止させるとき、前記隙間部分を利用して第２の掛止具３を容易に係止できる。
【符号の説明】
【００１７】
１  紐リード
２  第１の掛止具
３  第２の掛止具
４  移動式固定具
４１，４２  リング体
４１ａ，４２ａ  通し孔
【図１】
0003168091.tif 000003
【図２】
0003168091.tif 000004
【図３】
0003168091.tif 000005